(57)【要約】      （修正有）【課題】布地に形成された折り目に沿って、所定の形状に簡単に折り畳むことができる折り布を提供する。【解決手段】布地２に形成された折り目３に沿って所定の形状に折り畳むことができる折り布であって、布地２は、耐薬品性の異なる少なくとも２種類の繊維からなり、折り目３は、オパール加工を施すことによって、少なくとも２種類の繊維のうち一部の種類のみの繊維を溶かして形成されたものであることを特徴とする。【選択図】図２
0003153947.tif 000002
【実用新案登録請求の範囲】
【請求項１】
布地に形成された折り目に沿って所定の形状に折り畳むことができる折り布であって、
前記布地は、耐薬品性の異なる少なくとも２種類の繊維からなり、
前記折り目は、オパール加工を施すことによって、前記少なくとも２種類の繊維のうち一部の種類のみの繊維を溶かして形成されたものであることを特徴とする折り布。
【請求項２】
前記少なくとも２種類の繊維には、コアヤーンを構成する芯糸と、該芯糸の周りに絡められた短繊維とが含まれており、
前記オパール加工により、前記短繊維が溶けて、前記芯糸が露出していることを特徴とする請求項１に記載の折り布。
【請求項３】
前記布地の前記折り目以外の部分に、折り畳むことで完成する絵柄が、バインダーを混合した顔料で印刷されていることを特徴とする請求項１または２に記載の折り布。
【請求項４】
前記バインダーは、乾燥後に硬化するアクリル系バインダーであることを特徴とする請求項３に記載の折り布。
【請求項５】
風呂敷として使用できることを特徴とする請求項１ないし４のいずれかに記載の折り布。
【考案の詳細な説明】
【技術分野】
【０００１】
本考案は、風呂敷やハンカチ等の折り布に関し、特に布地に形成された折り目に沿って、所定の形状に折り畳むことができる折り布に関する。
【背景技術】
【０００２】
近年、風呂敷やハンカチ等に、折り畳むことで絵柄を完成させることができるパズル的な要素を備えた折り布が開発されている（例えば、特許文献１参照）。この特許文献１に記載された折り布は、布地の片面もしくは両面に、折り畳むことで完成する絵柄が複数個に分散されて印刷されている。そして、この折り布を折り畳み、絵柄を完成させることによって、折り紙的な楽しみ方や、衣服を几帳面に畳むといった子供に対する教育的効果が得られる。
【０００３】
しかしながら、上記のような折り布は、折り進めていくうちに折り畳む箇所が分からなくなることが多く、目的とする形状に折り畳んで絵柄を完成させることが難しかった。
【先行技術文献】
【特許文献】
【０００４】
【特許文献１】特開平６−１０６８３９号公報
【考案の概要】
【考案が解決しようとする課題】
【０００５】
本考案は上記の事情をもとに考え出されたものであって、布地に形成された折り目に沿って、所定の形状に簡単に折り畳むことができる折り布を提供することを課題とする。
【課題を解決するための手段】
【０００６】
すなわち、本考案に係る折り布は、布地に形成された折り目に沿って所定の形状に折り畳むことができる折り布であって、前記布地は、耐薬品性の異なる少なくとも２種類の繊維からなり、前記折り目は、オパール加工を施すことによって、前記少なくとも２種類の繊維のうち一部の種類のみの繊維を溶かして形成されたものであることを特徴とする。
【０００７】
上記構成において、少なくとの２種類の繊維には、コアヤーンを構成する芯糸と、該芯糸の周りに絡められた短繊維とが含まれており、前記オパール加工により、前記短繊維が溶けて、前記芯糸が露出していることが好ましい。
【０００８】
また、上記構成において、本考案に係る折り布は、前記布地の前記折り目以外の部分に、折り畳むことで完成する絵柄が、バインダーを混合した顔料で印刷されていることが好ましい。
【０００９】
また、上記構成において、前記バインダーは、乾燥後に硬化するアクリル系バインダーであることが好ましい。
【００１０】
また、本考案に係る折り布は、風呂敷として使用できることを特徴とする。
【考案の効果】
【００１１】
本考案に係る折り布は、布地にオパール加工を施すことによって、布地を構成する少なくとも２種類の繊維のうち一部の種類のみの繊維を溶かして形成した折り目を有するため、折り畳む箇所を間違えることなく、折り目に沿って簡単に折り畳むことができる。
【００１２】
さらに、本考案に係る折り布は、折り目以外の部分に、折り畳むことで完成する絵柄がバインダーを混合した顔料により印刷されているため、折り目以外の部分を相対的に硬くすることができ、折り目の部分で、より一層折り畳みやすくすることができる。
【図面の簡単な説明】
【００１３】
【図１】本考案に係る風呂敷であって、折り畳む前の展開状態を示す平面図である。
【図２】本考案に係る風呂敷であって、（ａ）は折り目付近を示す拡大部分平面図、（ｂ）は（ａ）を線Ａで切断した拡大断面図である。
【図３】図１の状態から折り進めた後の風呂敷を示す正面図である。
【図４】図３の状態からさらに折り進めた後の風呂敷であって、（ａ）は正面図、（ｂ）は背面図である。
【図５】図４の状態からさらに折り進めた後の風呂敷であって、（ａ）は正面図、（ｂ）は背面図である。
【図６】図５の状態からさらに折り進めた後の風呂敷であって、（ａ）は正面図、（ｂ）は背面図である。
【考案を実施するための形態】
【００１４】
以下、本考案の好ましい実施例について、図面を参照して説明する。なお、以下では、風呂敷を折り布の一例に挙げて説明する。
【００１５】
図１および図２に示すように、本考案に係る風呂敷１は、表裏面を有する平面視矩形状の布地２と、布地２に形成された複数の直線状の折り目３（６〜１３）と、布地２の表面のうち折り目３（６〜１３）以外の部分に印刷された絵柄４と、からなる。
【００１６】
布地２は、コアヤーン５をたて糸およびよこ糸として１本ずつ交互に交錯させる平織りによって製織されたものである。コアヤーン５は、ポリエステルの長繊維を芯糸５ａとし、綿の短繊維５ｂをこの芯糸５ａの周りに絡めたものである。本実施例では、ポリエステル４０％、綿６０％の混率を示す番手４２／１のコアヤーン５を用いている。また、布地２を製織するための織機として、レピア織機が使用される。
【００１７】
折り目３（６〜１３）は、布地２にオパール加工を施すことによって、コアヤーン５の短繊維５ｂだけを溶かし、芯糸５ａを露出させたものである。このため折り目３（６〜１３）の部分は、折り目３（６〜１３）以外の部分よりも、短繊維５ｂが溶けた分だけ厚さが実質的に薄く、かつ密度が低くなっており、オパール加工を施していない他の部分に比べて、折り畳みやすくなっている。
【００１８】
ここで、オパール加工とは、耐薬品性の異なる少なくとも２種類の繊維で製織された布地の加工部分に抜蝕剤を印捺した後、乾熱または湿熱処理を行うことにより、一部の種類のみの繊維を溶かして、他の種類の繊維を残す加工法である。
【００１９】
本実施例に係る布地２は、耐酸性に優れたポリエステルの芯糸５ａと、酸に弱い綿の短繊維５ｂとで紡績されたコアヤーン５を用いて製織されているため、抜蝕剤としては、硫酸、硫酸アンモニウム、塩化アルミニウム、酸性硫酸ソーダ等の酸性を示す抜蝕剤を使用することができる。オパール加工は、折り目３（６〜１３）を形成したい箇所に抜蝕剤を印捺し、その後、乾熱または湿熱処理をすることにより行われる。これにより、綿の短繊維５ｂが溶け、ポリエステルの芯糸５ａのみが露出した折り目３（６〜１３）が形成される。
【００２０】
絵柄４は、布地２の表面の折り目３（６〜１３）以外の部分に、風呂敷１を折り目３（６〜１３）に沿って折り畳むことで獅子の顔が完成するように、所定の位置に分散されて印刷されたものである。絵柄４の印刷は、バインダーを混合した顔料４ａを布地２の表面に塗布する顔料プリントにより行われる。バインダーは、顔料を布地２に固着させるためのものであり、本実施例では、アクリル酸エステル共重合体、界面活性剤、ミネラルスピリット、エチレングリコールおよび水を含有するアクリル系バインダーを使用している。アクリル系バインダーは乾燥後に硬化するため、絵柄４が印刷された部分は、絵柄４が印刷されていない折り目３（６〜１３）の部分よりも厚みが増して硬くなる。これにより、折り目３（６〜１３）に沿って折り畳むのが一層容易になる。
【００２１】
次に、本実施例に係る風呂敷１の折り方について図１および図３〜図６を参照して説明する。なお、図中の一点鎖線６〜１３は折り目を示している。
【００２２】
まず、図１に示す状態の風呂敷１を、折り目６に沿って山折りに折り畳み三角形状にする。そして、折り目７ａ、折り目８ａを順次谷折りにし、さらに折り目９を谷折りにすることで、風呂敷１は図３に示す状態になる。
【００２３】
次に、折り目７ｂ、折り目８ｂを折り目７ａ、折り目８ａと同様に順次谷折りにし、さらに折り目１０を谷折りにすることで、風呂敷１は図４に示す状態になる。そして、図４（ａ）から見て、折り目１１、折り目１２を谷折りにすることで、風呂敷１は図５に示す状態になる。最後に、図５（ａ）から見て折り目１３を谷折りにすることにより、風呂敷１は、図６に示すような獅子の顔の形状になる。
【００２４】
以上、本考案の好ましい実施例について説明してきたが、本考案はこれらの構成に限定されるものではない。
【００２５】
本実施例ではコアヤーン５によって製織された布地２を用いたが、これに限定されるものではなく、オパール加工を施すことができるように、耐薬品性の異なる少なくとも２種類の繊維で製織された布地２であれば、同様の効果を得ることができる。例えば、ポリエステルとトリアセテート、ポリエステルとラメ金属系、もしくはナイロンとセルロース等で製織されている布地であれば、酸性を示す抜蝕剤を使用したオパール加工を施すことによって、それぞれトリアセテート、ラメ金属系およびセルロースのみを溶かし、他方を残すことができる。
【００２６】
また、本実施例ではポリエステルの長繊維を芯糸５ａとし、綿の短繊維５ｂをこの芯糸５ａの周りに絡めたコアヤーン５を用いたが、芯糸５ａと短繊維５ｂとの組み合わせは、耐薬品性の異なる組み合わせであれば、適宜変更可能である。
【００２７】
また、本実施例では布地２に厚みをもたせるために、絵柄４の印刷を顔料プリントにより行っているが、染料プリントにより行ってもよいし、他の方法で行ってもよい。さらに、布地２の片面だけでなく両面に絵柄４を印刷してもよい。
【００２８】
また、本実施例では風呂敷１を例に挙げて説明したが、折り布としては、ハンカチやふきん等のあらゆる布状のものを適用することができる。
【符号の説明】
【００２９】
１    風呂敷
２    布地
３    折り目
４    絵柄
４ａ  バインダーを混合した顔料
５    コアヤーン
５ａ  芯糸
５ｂ  短繊維
【図１】
0003153947.tif 000003
【図２】
0003153947.tif 000004
【図３】
0003153947.tif 000005
【図４】
0003153947.tif 000006
【図５】
0003153947.tif 000007
【図６】
0003153947.tif 000008